(57)【要約】【課題】最後の帳票に付されたグループエンドマークに基づき名寄せを行うことに加え、最初の帳票に付されたグループスタートマークに基づいても名寄せを行うことができる帳票供給装置を実現する。【解決手段】帳票供給装置１００において、第２の読取センサ７が、収容部１に収容される帳票Ｓに付された情報表示部Ｍのグループスタートマークを読み取ったことに伴い、第２のグループ化制御手段としてのＣＰＵ１０が、そのグループスタートマークが付された帳票Ｓの直前の帳票Ｓがグループ最後の帳票Ｓであると判断し、第１の読取センサ６が、その最後の帳票Ｓに付された情報表示部Ｍにおけるグループエンドマークを読み取ったこととするようにし、収容部１から搬送部３によって既に搬送されたその最後の帳票Ｓまでをひとつのまとまりとして扱うグループ化を行うように名寄せ処理を行うようにした。【選択図】図１
2005119830.tif 000002
【特許請求の範囲】
【請求項１】
複数の帳票を収容する収容部と、
前記収容部に収容される前記帳票を、１枚ずつ所定の方向に搬送する搬送部と、
前記搬送部により搬送される前記帳票に付された情報表示部の読み取りを行う第１の読取センサと、
前記第１の読取センサが、前記情報表示部におけるグループエンドマークを読み取ったことに伴い、そのグループエンドマークが付された帳票がグループ最後の帳票であると判断し、当該帳票と前記収容部から前記搬送部によって既に搬送された帳票をひとつのまとまりとして扱うグループ化を行う第１のグループ化制御手段と、を備え、そのグループ化した帳票の供給を行う帳票供給装置であって、
前記収容部に収容される前記帳票に付された情報表示部の読み取りを、前記帳票が前記搬送部により搬送される前に行う第２の読取センサと、
前記第２の読取センサが、前記情報表示部におけるグループスタートマークを読み取ったことに伴い、そのグループスタートマークが付された帳票の直前の帳票がグループ最後の帳票であると判断し、前記収容部から前記搬送部によって既に搬送された帳票のグループ化を行う第２のグループ化制御手段と、を備えることを特徴とする帳票供給装置。
【請求項２】
前記第２の読取センサは複数備えられており、各第２の読取センサの読み取り領域の一部は重なっていることを特徴とする請求項１に記載の帳票供給装置。
【請求項３】
前記第２の読取センサには、当該第２の読取センサの読み取り領域を変更させる読取領域変更手段が備えられていることを特徴とする請求項１又は２に記載の帳票供給装置。
【発明の詳細な説明】
【技術分野】
【０００１】
本発明は、帳票供給装置に関する。
【背景技術】
【０００２】
従来より、郵便物等の発送業務の省力化・合理化を図るために、発送すべき書類を所定枚数ずつまとめて封筒に入れた後、封緘する作業を自動的に行う封入封緘装置が知られている。
封入封緘装置は、例えば、図４に示されるように、所定の設定に基づき連続帳票を単票に切り出すカッターユニット、切り出された単票を下流ユニットに搬送する搬送ユニット、その単票を宛名毎にまとめる（名寄せする）プールユニット、まとめられた単票を封筒に封入可能なサイズに折り畳む折りユニット、異なった高さの搬送系のユニットを結合するＭＪユニット、まとめられた単票に同封物帳票を供給する複数の同封物供給ユニット（図４においては、＃１から＃６の６つの同封物供給ユニット）、封入物（単票と同封物帳票）を封筒に封入する封入ユニット、封筒を封緘する封緘ユニット、封緘された封筒を並べるコンベアスタッカユニット、各ユニットを制御するＭＣＵ（パソコン）等により構成されている。
【０００３】
帳票供給装置である各同封物供給ユニットにおいて、複数の同封物帳票は所定のカセット（収容部）に収容されている。同封物供給ユニットは、そのカセットから所定の枚数の帳票を名寄せ用テーブルにおいて一旦名寄せし、グループにまとめた（名寄せした）帳票を上流側から搬送されてくる単票に合流させるようになっている（例えば、特許文献１、非特許文献１参照。）。
【特許文献１】特許第２８２３０６７号公報
【非特許文献１】全自動メール処理システムMailmation7000パンフレット（ジューキ電子工業株式会社、２０００年５月発行）
【発明の開示】
【発明が解決しようとする課題】
【０００４】
上記特許文献１、非特許文献１に記載の同封物供給ユニットが、所定の枚数の帳票を名寄せする際、同封物供給ユニットのＯＭＲ（Ｏｐｔｉｃａｌ  ＭａｒｋＲｅａｄｅｒ）センサが、カセットから名寄せ用テーブルに搬送される帳票に印刷されているＯＭＲマークを読み取り、ＯＭＲマーク中のグループエンドマークを読み取ったことに基づきグループの最後の帳票であると判断して名寄せを区切り、帳票のグループ化を行っている。例えば、３枚の帳票を名寄せする際、３枚目の帳票に記されているグループエンドマークに基づき名寄せを行い、次の４枚目は新たな１枚目としてカウントされる。
しかしながら、従来の同封物供給ユニットは、帳票をカセットから名寄せ用テーブルに搬送する過程で帳票のＯＭＲマークをＯＭＲセンサにより読み取るため、名寄せするグループの１枚目の帳票（グループスタートの帳票）に印刷されているＯＭＲマーク中のグループスタートマークを、同封物供給ユニットのＯＭＲセンサが読み取ったことに基づき、その直前の帳票をグループの最後の帳票として名寄せし、区切ることは困難であった。
これは、ＯＭＲセンサが帳票のグループスタートマークを読み取ったことに伴い、その直前までの帳票が名寄せ用テーブルで名寄せされたところへ、その搬送中のグループスタートの帳票が名寄せ用テーブルに到達してしまうことがあるという問題があるからである。このような場合、名寄せグループの区切りがつかず、グループが混合してしまうというトラブルが生じることとなる。
また、そのトラブルを避けるために帳票の搬送速度を落とすと、封入封緘装置における封入封緘処理速度が大幅に低下してしまうという問題があるからである。
【０００５】
近時、名寄せされた帳票において、帳票の１枚目であることを認識しやすいように、帳票の１枚目にグループスタートマークを付することが好ましい場合があるというユーザのニーズの多様化に伴い、グループエンドマークによる名寄せに加え、グループスタートマークによる名寄せを行うことができる同封物供給ユニット（帳票供給装置）のニーズが高まりつつある。
【０００６】
本発明の課題は、名寄せする複数の帳票のうち、最後の帳票に付されたグループエンドマークに基づき名寄せを行うことに加え、最初の帳票に付されたグループスタートマークに基づいても名寄せを行うことができる帳票供給装置を提供することである。
【課題を解決するための手段】
【０００７】
以上の課題を解決するため、請求項１記載の発明は、複数の帳票（Ｓ）を収容する収容部（１）と、収容部に収容される帳票を、１枚ずつ所定の方向に搬送する搬送部（３）と、搬送部により搬送される帳票に付された情報表示部（Ｍ）の読み取りを行う第１の読取センサ（６）と、第１の読取センサが、情報表示部におけるグループエンドマークを読み取ったことに伴い、そのグループエンドマークが付された帳票がグループ最後の帳票であると判断し、当該帳票と収容部から搬送部によって既に搬送された帳票をひとつのまとまりとして扱うグループ化を行う第１のグループ化制御手段（例えば、ＣＰＵ１０）と、を備え、そのグループ化した帳票の供給を行う帳票供給装置（１００）であって、収容部に収容される帳票に付された情報表示部の読み取りを、帳票が搬送部より搬送される前に行う第２の読取センサ（７）と、第２の読取センサが、情報表示部におけるグループスタートマークを読み取ったことに伴い、そのグループスタートマークが付された帳票の直前の帳票がグループ最後の帳票であると判断し、収容部から搬送部によって既に搬送された帳票のグループ化を行う第２のグループ化制御手段（例えば、ＣＰＵ１０）と、を備えることを特徴とする。
【０００８】
請求項１記載の発明によれば、帳票供給装置は、収容部に収容される帳票を搬送部により搬送する過程において、第１の読取センサがその帳票に付された情報表示部の読み取りを行う。そして、第１の読取センサが、情報表示部におけるグループエンドマークを読み取ったことに伴い、第１のグループ化制御手段がそのグループエンドマークが付された帳票がグループ最後の帳票であると判断し、収容部から搬送部によって既に搬送されたその最後の帳票までをひとつのまとまりとして扱うグループ化を行う。このように帳票供給装置において、第１のグループ化制御手段がグループ化することにより名寄せされた帳票は、ひとつのまとまりとして扱うことができることとなって、そのグループとしてまとめて所定の供給を行うことができる。
さらに、帳票供給装置は、第２の読取センサが、収容部に収容される帳票に付された情報表示部の読み取りを、その帳票が搬送部より搬送される前に行うことができる。そして、第２の読取センサが、情報表示部におけるグループスタートマークを読み取ったことに伴い、第２のグループ化制御手段が、そのグループスタートマークが付された帳票の直前の帳票がグループ最後の帳票であると判断し、収容部から搬送部によって既に搬送されたその最後の帳票までをひとつのまとまりとして扱うグループ化を行う。このように帳票供給装置において、第２のグループ化制御手段がグループ化することにより名寄せされた帳票は、ひとつのまとまりとして扱うことができることとなって、そのグループとしてまとめて所定の供給を行うことができる。
【０００９】
つまり、本発明に係る帳票供給装置は、第１の読取センサが搬送部により搬送される帳票に付された情報表示部におけるグループエンドマークを読み取ることと、第２の読取センサが収容部に収容される帳票に付された情報表示部におけるグループスタートマークを読み取ることのいずれによっても、名寄せしグループ化する帳票における最後の帳票がどの帳票であるかを判断することができる。よって、名寄せしグループ化する複数の帳票において、最初の帳票にグループスタートマークを付しても、最後の帳票にグループエンドマークを付しても、それぞれ同様に名寄せを行うことができる。
従って、本発明の帳票供給装置は、従来の帳票供給装置におけるグループエンドマークによる名寄せに加え、グループスタートマークによる名寄せを行うことができることとなり、そのようなユーザのニーズに対応することができるようになる。
【００１０】
なお、本発明において、第２の読取センサは、搬送部よって搬送される前、収容部に収容された状態の帳票に付された情報表示部の読み取りを行うようになっている。ここで、収容部に収容された状態の帳票とは、その帳票の一部が収容部内に残っており、完全に収容部から引き出されていない帳票であると定義する。
【００１１】
請求項２記載の発明は、請求項１に記載の帳票供給装置において、第２の読取センサは複数備えられており、各第２の読取センサの読み取り領域の一部は重なっていることを特徴とする。
【００１２】
請求項２記載の発明によれば、請求項１に記載の発明と同様の作用を奏するとともに、複数備えられた第２の読取センサの読み取り領域は、その一部が重なっているので、各第２の読取センサの読み取り領域を異ならせつつ、より広い範囲の読み取りを行うことができる。また、その読み取り領域の一部が重なっていることにより、それら読み取り領域の位置関係を把握しやすい。
つまり、収容部から帳票が引き出され搬送された際に、次の帳票の位置が、その前に引き出され搬送された帳票の影響を受けて、僅かにずれることがあっても、このように第２の読取センサは、より広い範囲の読み取りを行うことができるので、帳票に付された情報表示部を読み取ることができる。
【００１３】
請求項３記載の発明は、請求項１又は２に記載の帳票供給装置において、第２の読取センサには、当該第２の読取センサの読み取り領域を変更させる読取領域変更手段が備えられていることを特徴とする。
【００１４】
請求項３記載の発明によれば、請求項１又は２に記載の発明と同様の作用を奏するとともに、第２の読取センサには、当該第２の読取センサの読み取り領域を変更させる読取領域変更手段が備えられているので、第２の読取センサは、より広い範囲の読み取りを行うことができる。
つまり、収容部から帳票が引き出され搬送された際に、次の帳票の位置が、その前に引き出され搬送された帳票の影響を受けて、僅かにずれることがあっても、読取領域変更手段によって第２の読取センサの読み取り領域を変更することができるので、帳票に付された情報表示部を読み取ることができる。
【発明の効果】
【００１５】
請求項１記載の発明によれば、帳票供給装置は、第１の読取センサが搬送部により搬送される帳票に付された情報表示部におけるグループエンドマークを読み取ることと、第２の読取センサが収容部に収容される帳票に付された情報表示部におけるグループスタートマークを読み取ることのいずれによっても、名寄せしグループ化する帳票における最後の帳票がどの帳票であるかを判断することができる。よって、名寄せしグループ化する複数の帳票において、最初の帳票にグループスタートマークを付しても、最後の帳票にグループエンドマークを付しても、それぞれ同様に名寄せを行うことができる。
従って、このような帳票供給装置は、従来の帳票供給装置におけるグループエンドマークによる名寄せに加え、グループスタートマークによる名寄せを行うことができることとなり、そのようなユーザのニーズに対応することができるようになる。
【００１６】
請求項２記載の発明によれば、複数備えられた第２の読取センサの読み取り領域は、その一部が重なるように備えられているので、各第２の読取センサの読み取り領域を異ならせつつ、より広い範囲の読み取りを行うことができる。よって、収容部から帳票が引き出され搬送された際に、次の帳票の位置が、その前に引き出され搬送された帳票の影響を受けて、僅かにずれることがあっても、このように第２の読取センサは、より広い範囲の読み取りを行うことができるので、帳票に付された情報表示部を読み取ることができる。
【００１７】
請求項３記載の発明によれば、第２の読取センサには、当該第２の読取センサの読み取り領域を変更させる読取領域変更手段が備えられているので、第２の読取センサは、より広い範囲の読み取りを行うことができる。よって、収容部から帳票が引き出され搬送された際に、次の帳票の位置が、その前に引き出され搬送された帳票の影響を受けて、僅かにずれることがあっても、読取領域変更手段によって第２の読取センサの読み取り領域を変更することができるので、帳票に付された情報表示部を読み取ることができる。
【発明を実施するための最良の形態】
【００１８】
以下、本発明の実施の形態を図１から図３に基づいて説明する。
本実施形態における帳票供給装置は、封入封緘装置における同封物供給ユニットとして用いられる装置である。
【００１９】
図１は本実施形態たる帳票供給装置１００を示す説明図である。
図１に示されるように、帳票供給装置１００は、複数の帳票Ｓを収容する収容部１と、収容部１から帳票Ｓを１枚ずつ引き出す帳票引出部２と、帳票引出部２が引き出した帳票Ｓを搬送ガイド３０に沿って所定の方向に搬送する搬送部３と、搬送部３により搬送された帳票Ｓをまとめる名寄せ部４と、搬送ガイド３０上を搬送される帳票Ｓの搬送方向先端部を検出するＴＯＦ（Ｔｏｐ  Ｏｆ  Ｆｏｒｍ）センサ５と、搬送ガイド３０上を搬送される帳票Ｓに付された情報表示部Ｍを読み取る第１の読取センサ６と、収容部１に収容されている帳票Ｓに付された情報表示部Ｍを読み取る第２の読取センサ７と、上記各構成の動作制御を行う制御部としてのＣＰＵ１０等を備えている。
【００２０】
収容部１は、複数の帳票Ｓを積層して収容している。収容部１の下面側には、収容された帳票Ｓを積層された下層側のものから引き出すための開口部１ａが形成されている。
なお、帳票Ｓは、開口部１ａにおいて露出する面が、情報表示部Ｍが付された面であるように収容部１に収容されている。それにより、後述する配置の各読取センサ６，７が帳票Ｓに付された情報表示部Ｍを読み取ることができるようになっている。
【００２１】
帳票引出部２は、吸着盤２１と、吸着盤２１を移動させる吸着盤駆動ソレノイド２２と、吸着盤２１が帳票Ｓを吸着する際、帳票Ｓを吸引する負圧を生じさせる減圧バルブ２３とを備えている。
吸着盤駆動ソレノイド２２と減圧バルブ２３は、それぞれ吸着盤駆動ソレノイドドライバ２４と減圧バルブドライバ２５を介してＣＰＵ１０に接続されており、ＣＰＵ１０の制御に基づき、吸着盤２１が収容部１から帳票Ｓを引き出す動作を行うようになっている。具体的には、まず、吸着盤２１が、収容部１の開口部１ａに露出している帳票Ｓに接触するまで移動する。次いで、吸着盤２１が帳票Ｓを減圧吸着するとともに、吸着盤２１が収容部１から離れる方向に所定の位置まで移動することにより、帳票Ｓを収容部１から引き出す。
なお、減圧バルブ２３は、図示しない真空ポンプなどの減圧装置に連結されている。
【００２２】
搬送部３は、帳票引出部２の吸着盤２１が吸着して引き出した帳票Ｓを搬送ガイド３０上に搬送するための可動搬送ローラ３１と、搬送ガイド３０上に搬送された帳票Ｓを名寄せテーブル４０の方向に搬送する搬送ローラ３２，３３と、可動搬送ローラ３１を移動させる可動搬送ローラ駆動ソレノイド３４と、可動搬送ローラ３１と搬送ローラ３２，３３とを回転させるローラ駆動モータ３５と、ローラ駆動モータ３５の回転量を検出しＣＰＵ１０に出力するエンコーダ３６とを備えている。
可動搬送ローラ駆動ソレノイド３４とローラ駆動モータ３５は、それぞれ可動搬送ローラ駆動ソレノイドドライバ３７とローラ駆動モータドライバ３８を介してＣＰＵ１０に接続されており、ＣＰＵ１０の制御に基づき、各ローラが帳票Ｓを搬送するようになっている。具体的には、吸着盤２１が所定の位置まで引き出し、吸着が解除された帳票Ｓに接触するように可動搬送ローラ３１が移動し、そのローラの回転駆動に基づき、帳票Ｓを搬送ガイド３０上に搬送する。次いで、搬送ガイド３０上に搬送された帳票Ｓを搬送ローラ３２，３３の回転駆動に基づき名寄せテーブル４０に向けて搬送する。
【００２３】
名寄せ部４は、搬送部３により搬送された帳票Ｓを所定のグループ毎に重ねてまとめる名寄せテーブル４０と、名寄せテーブル４０でまとめられ名寄せされた帳票Ｓを所定の帳票供給部へ供給する際に開閉される名寄せ部ゲート４１と、名寄せ部ゲート４１を開閉させる名寄せ部ゲート駆動ソレノイド４２とを備えている。
名寄せ部ゲート駆動ソレノイド４２は、名寄せ部ゲート駆動ソレノイドドライバ４３を介してＣＰＵ１０に接続されており、ＣＰＵ１０の制御に基づき、名寄せ部ゲート４１が開閉動作を行うようになっている。具体的には、名寄せ部ゲート４１に各帳票Ｓの端部が当接するように位置合わせされて名寄せテーブル４０上に重ねられた帳票Ｓが、所定のグループとして名寄せされた（グループ最後の帳票Ｓが重ねられた）とＣＰＵ１０が判断したことに基づき、そのグループ化された帳票Ｓを、封入封緘装置の上流側から搬送装置２００により搬送されてくる単票などに合流させるように名寄せ部ゲート４１が開けられる。
【００２４】
ここで、封入封緘装置における搬送装置２００について説明する。
搬送装置２００は、チェーン駆動ローラ２０１と図示しない従動ローラに掛け渡され、無端状につながれた搬送チェーン２０３と、搬送チェーン２０３に突設された複数の搬送フィン２０４・・・と、チェーン駆動ローラ２０１を回転駆動するモータ２０５と、モータ２０５と図示しない封入封緘装置の制御部を接続するモータドライバ２０６等を備えている。
搬送装置２００において、モータ２０５の駆動に伴うチェーン駆動ローラ２０１の回転に基づき、搬送チェーン２０３がチェーン駆動ローラ２０１と図示しない従動ローラとの間を往復移動することにより、搬送フィン２０４がメイン搬送テーブル２１０上に載置された単票などを後押しするように、図中左側へ移動させるようになっている。そして、名寄せテーブル４０上で名寄せされた帳票Ｓを搬送フィン２０４が後ろから掻き取るようにして、名寄せ部ゲート４１を通過させ、その帳票Ｓをメイン搬送テーブル２１０上に合流させる。
【００２５】
ＴＯＦセンサ５は、搬送ガイド３０の下面側に配置され、搬送ガイド３０に形成されたＴＯＦ開口部３０ａを通じて、搬送ガイド３０上を搬送されてくる帳票Ｓの先端部を検出する。このＴＯＦセンサ５は、光源と受光素子とからなり、光源から出力される出射光の帳票Ｓに対する反射光を受光することにより帳票Ｓの先端部を検出することができる。ＴＯＦセンサ５の検出信号はＣＰＵ１０に出力される。そして、ＣＰＵ１０では、このＴＯＦセンサ５により帳票Ｓの先端部を認識すると、前述したエンコーダ３６の出力に基づいて帳票Ｓの送り量のカウントを開始する。
【００２６】
第１の読取センサ６は、搬送ガイド３０の下面側に配置され、搬送ガイド３０に形成されたＯＭＲ開口部３０ｂを通じて、搬送ガイド３０上を搬送されてくる帳票Ｓに付されている情報表示部Ｍを読み取る。なお、第１の読取センサ６は、搬送ガイド３０上を搬送される帳票Ｓの情報表示部Ｍの通過線上に配置されている。
第１の読取センサ６は、例えば、光源と受光素子とからなるＯＭＲセンサであり、光源から出力される出射光の帳票Ｓに対する反射光を受光すると共に、その反射光の輝度値の大きさから情報表示部Ｍの黒色バーの有無を識別することができる。
特に、第１の読取センサ６は、情報表示部Ｍのグループエンドマークの有無を識別し、グループエンドマークを読み取ったことに伴う検出信号をＣＰＵ１０に出力する。
【００２７】
第２の読取センサ７は、収容部１の開口部１ａの近傍に配置され、収容部１に収容されて開口部１ａから露出する帳票Ｓに付されている情報表示部Ｍを読み取る。なお、第２の読取センサ７は、収容部１に収容されている帳票Ｓの情報表示部Ｍに対応した位置に配置されている。ここで、収容部１に収容されている帳票Ｓとは、その帳票Ｓの一部が収容部１内に残っており、完全に収容部１から引き出されていない帳票Ｓであると定義する。
第２の読取センサ７は、例えば、光源と受光素子とからなるＯＭＲセンサであり、光源から出力される出射光の帳票Ｓに対する反射光を受光すると共に、その反射光の輝度値の大きさから情報表示部Ｍの黒色バーの有無を識別することができる。
特に、第２の読取センサ７は、情報表示部Ｍのグループスタートマークの有無を識別し、グループスタートマークを読み取ったことに伴う検出信号をＣＰＵ１０に出力する。
【００２８】
情報表示部Ｍは、図２に示されるように、予め設定されたバー表示エリアに帳票Ｓの地色と異なる複数の黒色バーが搬送される方向に沿って並ぶように印刷されて付されたものであり、例えば、バーコードである。この黒色バーのマーク表示があるか否かにより帳票供給装置１００に対して所定の情報を識別させる。
情報表示部Ｍの各黒色バーには、それぞれ所定の情報を識別させる意味付けがされている。
例えば、スタートマークは、各読取センサが情報表示部Ｍを読み取る際に、情報表示部Ｍの位置を認識するための基準となるマークである。
また、グループエンドマークは、第１の読取センサ６が読み取ったことに伴う検出信号の入力に応じて、ＣＰＵ１０がそのグループエンドマークが付された帳票Ｓがグループ最後の帳票であると判断する基準となるマークである。
また、グループスタートマークは、第２の読取センサ７が読み取ったことに伴う検出信号の入力に応じて、ＣＰＵ１０がそのグループスタートマークが付された帳票Ｓの直前の帳票Ｓがグループ最後の帳票であると判断する基準となるマークである。
【００２９】
ＣＰＵ１０には、記憶装置（図示省略）が併設されている。この記憶装置は、例えば、ＲＯＭ及びＲＡＭであり、後述するＣＰＵ１０が実行する各種機能、動作の制御プログラム及び制御データが記憶されると共に種々のワークメモリやカウンタなどが設けられており、動作制御中のワークエリアとしても使用される。
また、ＣＰＵ１０には、各種設定値の入力及びその操作画面の表示等を行うための入出力装置（図示省略）が併設されている。この入出力装置は、例えば、操作パネルと表示装置であり、ＣＰＵ１０の制御に要する設定値、例えば、帳票Ｓの搬送方向幅、帳票Ｓの搬送方向先端部から情報表示部Ｍの開始位置までの距離、帳票Ｓの搬送方向先端部から各黒色バーまでの距離やその黒色バーの幅及び本数、また情報表示部Ｍを第１の読取センサ６や第２の読取センサ７が読み取るタイミング等が設定入力される。
【００３０】
ＣＰＵ１０は、前述したように、ローラ駆動モータドライバ３８を介してローラ駆動モータ３５と接続され、このモータ３５を所定のタイミングで、所定の回転速度で、所定の駆動量で駆動させることができる。
そして、モータ３５の駆動に応じた各ローラの回転駆動により帳票Ｓを所定の搬送速度で搬送させる制御を行う。また、その帳票Ｓの搬送に応じて帳票Ｓを収容部１から引き出すように帳票引出部２を動作させる制御を行う。
【００３１】
また、ＣＰＵ１０は、ＴＯＦセンサ５が帳票Ｓの先端部を検出した時点を基準に、第１の読取センサ６や第２の読取センサ７が帳票Ｓの情報表示部Ｍを読み取るタイミングの設定を行う。つまり、ＣＰＵ１０は、所定の設定値に基づき、第１の読取センサ６や第２の読取センサ７が帳票Ｓの情報表示部Ｍを読み取るタイミングを、例えば、エンコーダ３６のカウント値等を算出し、設定する。そして、その設定値に応じて任意のタイミングを設定することができる。
ここで、例えば、第１の読取センサ６が搬送される帳票Ｓの情報表示部Ｍを読み取るタイミングと、第２の読取センサ７が収容部１に収容される帳票Ｓの情報表示部Ｍを読み取るタイミングとが、ほぼ同じタイミングとなるように設定することにより、情報表示部Ｍにおけるグループエンドマークとグループスタートマークをそれぞれ読み取ることに対し互換性を持たせることができる。つまり、第１の読取センサ６が搬送される帳票Ｓの情報表示部Ｍのグループエンドマークを読み取ったことを、第２の読取センサ７が収容部１に収容される次の帳票Ｓの情報表示部Ｍのグループスタートマークを読み取ったこととしたり、第２の読取センサ７が収容部１に収容される帳票Ｓの情報表示部Ｍのグループスタートマークを読み取ったことを、第１の読取センサ６がその直前を搬送される一つ前の帳票Ｓの情報表示部Ｍのグループエンドマークを読み取ったこととしたりすることができる。
【００３２】
また、ＣＰＵ１０は、第１のグループ化制御手段としての制御プログラムに基づき、第１の読取センサ６から出力された情報表示部Ｍのグループエンドマークを読み取ったことに伴う検出信号の入力に応じて、そのグループエンドマークが付された帳票Ｓがグループ最後の帳票であると判断し、収容部１から搬送部３により名寄せテーブル４０に搬送されたグループエンドマークが付された帳票Ｓまでをひとつのまとまりとして扱うグループ化を行う制御を行う。そして、ひとつのまとまりとして名寄せされ、グループ化された帳票Ｓを封入封緘装置の上流側から搬送装置２００により搬送されてくる単票などに合流させるように名寄せ部ゲート４１を開く制御を行う。
つまり、この制御は、従来の帳票供給装置においても行われていたグループエンドマークに基づく名寄せの制御である。
【００３３】
また、ＣＰＵ１０は、第２のグループ化制御手段としての制御プログラムに基づき、第２の読取センサ７から出力された情報表示部Ｍのグループスタートマークを読み取ったことに伴う検出信号の入力に応じて、そのグループスタートマークが付された帳票Ｓの直前の帳票Ｓがグループ最後の帳票であると判断し、収容部１から搬送部３により名寄せテーブル４０に搬送されたその最後の帳票Ｓまでをひとつのまとまりとして扱うグループ化を行う制御を行う。そして、ひとつのまとまりとして名寄せされ、グループ化された帳票Ｓを封入封緘装置の上流側から搬送装置２００により搬送されてくる単票などに合流させるように名寄せ部ゲート４１を開く制御を行う。
この制御は、本発明にかかるグループスタートマークに基づいて名寄せを行うための制御である。
【００３４】
次に、本発明にかかる帳票供給装置１００がグループスタートマークに基づく名寄せを行う動作について、図３に示されるフローチャートに基づき説明する。
まず、図示しない入出力装置により、帳票Ｓの搬送方向幅、帳票Ｓの搬送方向先端部から情報表示部Ｍの開始位置までの距離、帳票Ｓの搬送方向先端部から各黒色バーまでの距離やその黒色バーの幅及び本数、処理する帳票Ｓの枚数等の各種処理データが設定入力される。
そして、ＴＯＦセンサ５が帳票Ｓの先端部を検出した時点を基準に、第１の読取センサ６や第２の読取センサ７が帳票Ｓの情報表示部Ｍを読み取るタイミング等が設定される。つまり、ＣＰＵ１０は、上記各設定値に基づき、第１の読取センサ６や第２の読取センサ７が帳票Ｓの情報表示部Ｍを読み取るタイミングについてのエンコーダ３６のカウント値を算出し、設定する（ステップＳ１０１）。
所定の設定値の入力が行われ、装置各部の動作タイミング等の設定が完了すると、ＣＰＵ１０は、帳票引出部２や搬送部３を動作させて、収容部１から帳票Ｓを引き出し、搬送させる（ステップＳ１０２）。
【００３５】
次いで、ＣＰＵ１０は、ＴＯＦセンサ５が搬送される帳票Ｓの先端部を検出したことに基づく検出信号の入力の受け付けを行い（ステップＳ１０３）、その検出信号が入力されるまで待機する（ステップＳ１０３；Ｎｏ）。ＣＰＵ１０が、ＴＯＦセンサ５から、搬送される帳票Ｓの先端部を検出したことに基づく検出信号の入力を検知すると（ステップＳ１０３；Ｙｅｓ）、ステップＳ１０４へ進む。
そして、第１の読取センサ６や第２の読取センサ７が情報表示部Ｍを読み取るタイミングについてのエンコーダ３６のカウントを開始する（ステップＳ１０４）。
【００３６】
次いで、ＣＰＵ１０は、第１の読取センサ６が情報表示部Ｍを読み取るタイミング（エンコーダ値）まで第１の読取センサ６を待機させ（ステップＳ１０５；Ｎｏ）、ＣＰＵ１０が、搬送される帳票Ｓの情報表示部Ｍを読み取るタイミング（エンコーダ値）であると判断すると（ステップＳ１０５；Ｙｅｓ）、ステップＳ１０６へ進む。
そして、第１の読取センサ６は、搬送される帳票Ｓの情報表示部Ｍを読み取る（ステップＳ１０６）。ここで、第１の読取センサ６が読み取った帳票Ｓの情報表示部Ｍの照合マークに基づき、ＣＰＵ１０は搬送される帳票Ｓが所定の帳票Ｓであるか否かを確認することなどを行う。また、第１の読取センサ６が読み取った帳票Ｓの情報表示部Ｍにグループエンドマークが含まれていることに関する検出信号をＣＰＵ１０が受け付け、検知すると、従来の帳票供給装置においても行われていたグループエンドマークに基づく名寄せの処理を行う。
【００３７】
次いで、ＣＰＵ１０は、第２の読取センサ７が情報表示部Ｍを読み取るタイミング（エンコーダ値）まで第２の読取センサ７を待機させ（ステップＳ１０７；Ｎｏ）、ＣＰＵ１０が、収容部１に収容される帳票Ｓの情報表示部Ｍを読み取るタイミング（エンコーダ値）であると判断すると（ステップＳ１０７；Ｙｅｓ）、ステップＳ１０８へ進む。
そして、第２の読取センサ７は、収容部１に収容される帳票Ｓの情報表示部Ｍを読み取る（ステップＳ１０８）。
そして、第２の読取センサ７が読み取った帳票Ｓの情報表示部Ｍにグループスタートマークが含まれていることに関する検出信号をＣＰＵ１０が受け付け、検知すると、ＣＰＵ１０は、そのグループスタートマークが付された帳票Ｓの直前の帳票Ｓがグループ最後の帳票であると判断し、そのグループ最後の帳票までをひとつのまとまりとして扱うグループ化を行う（ステップＳ１０９）。
つまり、本発明のグループスタートマークに基づく名寄せを行う処理は、第２の読取センサ７が読み取った帳票Ｓの情報表示部Ｍにグループスタートマークが含まれていたことに伴い、そのグループスタートマークが付された帳票Ｓの直前を搬送された帳票Ｓの情報表示部Ｍを読み取った第１の読取センサ６が、その情報表示部Ｍにグループエンドマークが含まれていたと判断したように処理するものである。
【００３８】
そして、ＣＰＵ１０は名寄せ部ゲート４１を開く制御を行い、ひとつのまとまりとして名寄せされ、グループ化された帳票Ｓを封入封緘装置の上流側から搬送装置２００により搬送されてくる単票などに合流させるように供給する（ステップＳ１１０）。
そして、ＣＰＵ１０は、帳票Ｓの供給動作を終えるか否かを判断する（ステップＳ１１１）。ＣＰＵ１０が、所定の供給動作を終えたと判断すると（ステップＳ１１１；Ｙｅｓ）、名寄せ処理動作を終了する。一方、まだ収容部１に搬送、供給すべき帳票Ｓがあると判断すると（ステップＳ１１１；Ｎｏ）、ステップＳ１０２に戻り、名寄せ処理動作を続ける。
【００３９】
このように、本発明の帳票供給装置１００は、第２の読取センサ７が、収容部１に収容される帳票Ｓに付された情報表示部Ｍの読み取りを行い、第２の読取センサ７が、情報表示部Ｍにおけるグループスタートマークを読み取ったことに伴い、第２のグループ化制御手段としてのＣＰＵ１０が、そのグループスタートマークが付された帳票Ｓの直前の帳票Ｓがグループ最後の帳票であると判断し、収容部１から搬送部３によって既に搬送されたその最後の帳票までをひとつのまとまりとして扱うグループ化を行うことができる。
つまり、帳票供給装置１００は、第２の読取センサ７が収容部１に収容される帳票Ｓの情報表示部Ｍのグループスタートマークを読み取ったことを、第１の読取センサ６がその直前を搬送される一つ前の帳票Ｓの情報表示部Ｍのグループエンドマークを読み取ったこととするように、名寄せ処理を行うことができる。
【００４０】
よって、帳票供給装置１００は、第１の読取センサ６が搬送部３により搬送される帳票Ｓに付された情報表示部Ｍにおけるグループエンドマークを読み取り、名寄せを行う従来の名寄せ処理と、第２の読取センサが収容部１に収容される帳票Ｓに付された情報表示部Ｍにおけるグループスタートマークを読み取り名寄せを行う名寄せ処理との、いずれの名寄せ処理を行うことができる。従って、名寄せしグループ化する複数の帳票Ｓにおいて、最初の帳票Ｓにグループスタートマークを付しても、最後の帳票Ｓにグループエンドマークを付しても、それぞれ同様に名寄せを行うことができる。つまり、従来の帳票供給装置におけるグループエンドマークによる名寄せに加え、グループスタートマークによる名寄せを行うことができることとなり、そのようなユーザのニーズに対応することができるようになる。
【００４１】
また、本発明における帳票供給装置１００に、複数の第２の読取センサ７を備え、その複数の各第２の読取センサ７の読み取り領域の一部を重なるように配置することにより、各第２の読取センサ７の読み取り領域を異ならせつつ、より広い範囲の読み取りを行うようにしてもよい。複数の第２の読取センサ７が読み取りを行うことができる範囲である読み取り領域の一部が重なっていることにより、連続した広い範囲の読み取りを行うことができるようになる。
それにより、収容部１から帳票Ｓが引き出され搬送された際に、次の帳票Ｓの位置が、その前に引き出され搬送された帳票Ｓの影響を受けて、僅かにずれることがあっても、第２の読取センサは、より広い範囲の読み取りを行うことができるので、帳票Ｓに付された情報表示部Ｍを読み取ることができ、所定の名寄せ処理を行うことができる。
【００４２】
また、本発明における帳票供給装置１００において、第２の読取センサ７に、第２の読取センサ７の読み取り領域を変更させる読取領域変更手段を備えるようにしてもよい。読取領域変更手段として、例えば、センサ用ソレノイドなど、第２の読取センサ７の向きを変更可能な駆動系の構成を備えることにより、第２の読取センサ７は、より広い範囲の読み取りを行うことができるようになる。
それにより、収容部１から帳票Ｓが引き出され搬送された際に、次の帳票Ｓの位置が、その前に引き出され搬送された帳票Ｓの影響を受けて、僅かにずれることがあっても、第２の読取センサは、より広い範囲の読み取りを行うことができるので、帳票Ｓに付された情報表示部Ｍを読み取ることができ、所定の名寄せ処理を行うことができる。
【００４３】
なお、以上の実施の形態において、帳票供給装置の名寄せ処理を説明したが、本発明はこれに限定されるものではなく、帳票供給装置の具体的な細部構造、処理動作等については適宜に変更可能であることは勿論である。
【図面の簡単な説明】
【００４４】
【図１】本発明に係る帳票供給装置の説明図である。
【図２】情報表示部の一例を示す説明図であり、（ａ）は一般的な情報表示部、（ｂ）はグループエンドマークを有する情報表示部、（ｃ）はグループスタートマークを有する情報表示部である。
【図３】本発明にかかる帳票供給装置がグループスタートマークに基づく名寄せを行う動作に関するフローチャートである。
【図４】封入封緘装置のユニット構成を示す説明図である。
【符号の説明】
【００４５】
１      収容部
２      帳票引出部
３      搬送部
４      名寄せ部
５      ＴＯＦセンサ
６      第１の読取センサ
７      第２の読取センサ
１０    ＣＰＵ（第１のグループ化制御手段、第２のグループ化制御手段）
１００  帳票供給装置
Ｓ      帳票
Ｍ      情報表示部
【図１】
2005119830.tif 000003
【図２】
2005119830.tif 000004
【図３】
2005119830.tif 000005
【図４】
2005119830.tif 000006